(57)【要約】【課題】簡単な構成によって、本体底面の面強度の向上を図りながら段差をスムーズに乗り越えることができるようにした操作性の良い電気掃除機を提供する。【解決手段】掃除機本体１に旋回自在な前輪１４と従動後輪１５を設けた電気掃除機１００において、前記掃除機本体の本体ケース１０が、底面と床面との間に隙間を有し本体ケース１０の前後方向に延びる平行なソリ状の凸部４１、４２を底面に有する。【選択図】図４
2011245052.tif 000002
【特許請求の範囲】
【請求項１】
掃除機本体に旋回自在な前輪と従動後輪を設けた電気掃除機において、
前記掃除機本体の本体ケースが、底面と床面との間に隙間を有し本体ケースの前後方向に延びる平行なソリ状の凸部を底面に有することを特徴とする電気掃除機。
【請求項２】
前記凸部が別部材として前記本体ケースの底面に取り付けられていることを特徴とする請求項１記載の電気掃除機。
【請求項３】
前記凸部と前記本体ケースの底面とが異なる材料で構成されていることを特徴とする請求項１または２記載の電気掃除機。
【発明の詳細な説明】
【技術分野】
【０００１】
本発明は、電気掃除機に関し、特に電気掃除機の掃除機本体の底面部の構造に関する。
【背景技術】
【０００２】
電気掃除機の掃除機本体は、一般に、本体内部に電動送風機と集塵部とを有し、電動送風機により掃除機本体の吸込口より床用吸込具等を通して含塵空気を吸引するとともに、集塵部にて含塵空気中の塵埃を除去し、これにより清浄化された空気を掃除機本体の排気口より外部へ排出する構造となっている。そのため、掃除機本体は可能な限り小型化が図られている。その一方で、掃除機本体の内部容積を確保するために本体ケースは薄肉に形成される。そのため、本体ケースの面強度が問題になる。
従来、電気掃除機における振動・強度対策としては、本体ケースの内側にリブを設けたり、あるいは防振材を使用するなどの方法がとられる。
また、操作性の向上を目的として、本体ケース底面に補助輪を設けるなどの方法がとられている（例えば、特許文献１参照）。
【先行技術文献】
【特許文献】
【０００３】
【特許文献１】特開平９−０７５２６６号公報
【発明の概要】
【発明が解決しようとする課題】
【０００４】
電気掃除機において、使用時の振動は、騒音や吸引性能、寿命等に悪影響を与える。また、移動時における段差によって本体底面が引きずられる状態となり、傷が付いたり操作性が悪化するなどの問題がある。
一方、特許文献１のように補助輪を設けた場合には、掃除機本体を後部壁を下にして立てた状態にしたりするには都合がよい反面、構造が複雑化しコスト増などをまねくという問題がある。
【０００５】
本発明は、上記のような課題に鑑み、簡単な構成によって、本体底面の面強度の向上を図りながら段差をスムーズに乗り越えることができるようにした操作性の良い電気掃除機を提供することを目的とする。
【課題を解決するための手段】
【０００６】
本発明に係る電気掃除機は、掃除機本体に旋回自在な前輪と従動後輪を設けた電気掃除機において、前記掃除機本体の本体ケースが、底面と床面との間に隙間を有し本体ケースの前後方向に延びる平行なソリ状の凸部を底面に有するものである。
【発明の効果】
【０００７】
上記のように、本発明の電気掃除機は、本体ケース底面にソリ状の凸部を設けているので、本体ケース底面の面強度が向上するとともに、段差をスムーズに乗り越えることができ操作性の良い電気掃除機を実現できるという効果がある。
【図面の簡単な説明】
【０００８】
【図１】本発明の実施の形態１における電気掃除機１００の外観斜視図である。
【図２】掃除機本体１の上面図である。
【図３】図２のＡ−Ａ断面図である。
【図４】掃除機本体１を立てた状態を底面側から見た外観斜視図である。
【図５】掃除機本体１の底面図である。
【図６】掃除機本体１の側面図である。
【図７】図５のＢ−Ｂ断面図である。
【図８】本発明の実施の形態２における掃除機本体１を立てた状態を底面側から見た外観斜視図で、凸部４１、４２の取付前の状態を示す斜視図である。
【発明を実施するための形態】
【０００９】
以下、本発明に係る電気掃除機について図面に基づいて説明する。ここでは、一例としてサイクロン分離式集塵装置を具備する電気掃除機について説明するが、本発明はこれに限定されるものでないことはいうまでもない。例えば、同じサイクロン分離式集塵装置であっても垂直円筒型のサイクロン集塵部を有する電気掃除機や紙パック式の集塵部を有する電気掃除機などにも同様に本発明を適用することができるものである。
【００１０】
実施の形態１．
図１は本発明の実施の形態１における電気掃除機１００を示す外観斜視図、図２は掃除機本体１の上面図、図３は図２のＡ−Ａ断面図である。
この電気掃除機１００は、掃除機本体１と、掃除機本体１の吸込口１１に一端が回転自在で着脱自在に接続され他端に使用者が手に持って操作する手元操作部３を有する可撓性のあるホース２と、ホース２に着脱自在に接続される延長管４と、延長管４に着脱自在に接続され床面や絨毯等に存在する塵埃を吸引する床用吸込具５とを備えている。なお、延長管４は、パイプを伸縮させるパイプ伸縮方式、複数のパイプを繋いでいくパイプ継ぎ方式のいずれでも構わない。
【００１１】
掃除機本体１は、電動送風機３０を内蔵した本体ケース１０と、本体ケース１０上に着脱自在に傾斜させて装着されるサイクロン分離ユニット２０（サイクロン分離式集塵装置の主要部をいう）とを備えている。
本体ケース１０は、下ケース１２と上ケース１３とからなり、旋回自在な前輪１４と前輪１４より大径の後輪（従動後輪）１５が取り付けられて掃除機本体１が床面上を移動可能となっている。前輪１４は曲面を有する円形のキャスター１４ａに回転自在に装着されている。なお、図３では一方の前輪１４の図示は省略してある。
掃除機本体１の移動方向前方に当たる本体ケース１０の前部には、ホース２の一端の接続口部が接続される吸込口１１と、掃除機本体１を持ち運びできる本体ハンドル部１６が設けられている。
【００１２】
サイクロン分離ユニット２０は、本体ケース１０に対して着脱自在に装着される。さらに、サイクロン分離ユニット２０は、一次サイクロン分離部２１と二次サイクロン分離部２２とが一体的に並設されており、かつ、そのケースが４つの部分２３〜２６に分離可能に形成されている。そして、サイクロン分離ユニット２０は、最終段である４段目の部分がそれぞれ集塵部２６となっており、この集塵部２６を前方側を下向きにして斜めに本体ケース１０に装着されている。
一次サイクロン分離部２１の２段目部分２４の側面に含塵空気の流入口２７が開口されており、この流入口２７と吸込口１１は掃除機本体１の幅方向の一方側に設けられた空気ダクト２８を介して密接に接続されている。
【００１３】
一次サイクロン分離部２１と二次サイクロン分離部２２は、ここでは詳細な構成の説明は省略するが、電動送風機３０の吸引力により、いずれも内部で旋回気流を発生させて含塵空気から比重の大きい塵埃（例えば袋物の破片、髪の毛、砂、ご飯粒などの粒状物等）とこれよりさらに比重の小さいゴミ（例えば粉や綿ゴミなど）と空気とに遠心分離してこれらの塵埃・ゴミを分別して捕集するようになっている。
【００１４】
含塵空気は、床用吸込具５から吸い込まれ、延長管４、ホース２を経て掃除機本体１の吸込口１１に入り、引き続き空気ダクト２８を通過して流入口２７から一次サイクロン分離部２１に流入する。そして、含塵空気は一次サイクロン分離部２１から二次サイクロン分離部２２を通過する間にサイクロン原理により塵埃が分離され捕集される。
サイクロン分離ユニット２０を通過した空気は、二次サイクロン分離部２２の１段目部分２３に設けられた排出管２９ａを経て、排出管２９ａに密接に接続される本体ケース１０上の排出管２９ｂよりフィルター装置３１へ導かれ、フィルター装置３１を経由して電動送風機３０により吸引される。このため、フィルター装置３１によってサイクロン分離ユニット２０で分離しきれなかった微細なゴミやダストを除去し、これにより清浄化された空気が上記の空気ダクト２８と反対側の掃除機本体側方に設けられた排気口３２より外部へ排出される。なお、フィルター装置３１は複数設けてもよい。例えば、電動送風機３０の吸い込み側と送風側（吐出側）のそれぞれにフィルター装置３１を設けることができる。これによって、吸気と排気に対し２段階で除塵するため、電気掃除機１００の排気をより清浄にすることが可能となる。
【００１５】
次に、本発明の要部である電気掃除機１００の本体ケース１０の底面構造について図４から図７を参照して説明する。
【００１６】
図４は掃除機本体１を立てた状態を底面側から見た外観斜視図であり、図５は掃除機本体１の底面図である。また、図６は掃除機本体１の側面図、図７は図５のＢ−Ｂ断面図である。
これらの図に示すように、本体ケース１０の下ケース１２の底面には前後方向に延びる平行なソリ状の凸部４１、４２が設けられている。凸部４１、４２は、図６に示すように、通常の床面清掃時には、底面と床面５０との間に隙間４３ができるように形成されている。ここで、凸部４１、４２は、下ケース１２と一体成形で形成されている。一方の凸部４１は一方側の前輪１４の近傍から電動送風機３０取付用凸部４４まで連続して延設されている。他方の凸部４２は他方側の前輪１４の近傍からコードリール取付用凸部４５まで連続して延設されている。
【００１７】
本実施の形態１の電気掃除機１００は、上記のように構成されているので、以下に示すような効果がある。
【００１８】
（１）本体ケース１０の底面に平行なソリ状の凸部４１、４２を設けているので、凸部４１、４２により面強度が向上する。そのため、振動による騒音を抑制または低減させることができる。
【００１９】
（２）段差を乗り越える際において、本体ケース１０の底面が段差に接触し、いくつかの前輪１４あるいは後輪１５が床面５０に接触していない場合であっても、ソリ状の凸部４１、４２によって滑り運動を行っている状態となるため、引っかかりや転倒などは無くなり、段差をスムーズに乗り越えることができ、安定した操作性を得ることができる。また、本体ケース１０底面の機械的強度が向上しているため、段差との強い接触または衝撃に対して、耐衝撃性および耐久性が向上する。
【００２０】
（３）ソリ状の凸部４１、４２によって本体ケース１０底面を外側に押し出す形状となり、本体ケース１０内部の容積が増加するため、圧損の少ない風路を確保できる。
【００２１】
実施の形態２．
図８は本発明の実施の形態２における掃除機本体１を立てた状態を底面側から見た外観斜視図で、凸部４１、４２の取付前の状態を示す斜視図である。電気掃除機については実施の形態１と同様である。
本実施の形態２は、凸部４１、４２を別部材として本体ケース１０の底面に取り付けるものである。例えば、本体ケース１０はＰＰあるいはＡＢＳ樹脂成形品とし、凸部４１、４２は滑性のよい材料、例えばフッ素樹脂（ＰＴＦＥ等）、あるいはフッ素樹脂コーティングされた金属を選択することができる。また、本体ケース１０と凸部４１、４２の取付・固定は、接着や溶着等による接合、あるいは２色成形により実施することができる。
【００２２】
本実施の形態２によれば、実施の形態１の効果のほかに、凸部４１、４２を別部材として本体ケース１０とは異なる滑性のよい材料を選択できるという効果がある。
また、凸部４１、４２を本体ケース１０の底面と異なる材料としても同様の効果がある。
【符号の説明】
【００２３】
１  掃除機本体、２  ホース、３  手元操作部、４  延長管、５  床用吸込具、１０  本体ケース、１１  吸込口、１２  下ケース、１３  上ケース、１４  前輪、１５  従動後輪、１６  本体ハンドル部、１７  凸部、２０  サイクロン分離ユニット、２１  一次サイクロン分離部、２２  二次サイクロン分離部、２６  集塵部、２７  流入口、２８  空気ダクト、２９ａ  排出管、２９ｂ  排出管、３０  電動送風機、３１  フィルター装置、３２  排気口、４１  凸部、４２  凸部、４３  隙間、４４  電動送風機取付用凸部、４５  コードリール取付用凸部、５０  床面、１００  電気掃除機。
【図１】
2011245052.tif 000003
【図２】
2011245052.tif 000004
【図３】
2011245052.tif 000005
【図４】
2011245052.tif 000006
【図５】
2011245052.tif 000007
【図６】
2011245052.tif 000008
【図７】
2011245052.tif 000009
【図８】
2011245052.tif 000010